(57)【要約】    【課題】  入浴中やプールでの水遊び中であっても容易に用いて、釣等を模した遊びを楽しむことのできる、簡易な構成による遊具を提供すること。    【解決手段】  流れ発生水槽遊具１は、水槽７と、水槽７内に設けられており攪拌手段３を備えた攪拌軸２と、攪拌手段３に対して流体を送り、吹き付けることができるように水槽７に備えられたポンプ４とからなることを、主たる構成とする。ポンプ４には送出管５と吸入側先端部６が備えられ、後者は水槽７外の液体を吸入することができる。ポンプ４は二以上設けることができる。【選択図】  図１
2006102069.tif 000002
【特許請求の範囲】
【請求項１】
水槽と、該水槽内に設けられており攪拌手段を備えた攪拌軸と、該攪拌手段に対して流体を吹き付けることができるように該水槽に備えられたポンプとからなる流れ発生水槽遊具であって、該ポンプの送出管から該攪拌手段に対してなされる流体の吹き付けによって該攪拌手段を回転させ、それにより該水槽内の液体に流れを発生させることができる、流れ発生水槽遊具。
【請求項２】
前記ポンプは、前記水槽外の液体を該水槽内に送ることができるよう、吸入側の先端部を該水槽外に位置させることができるように該水槽に取着されていることを特徴とする、請求項１に記載の流れ発生水槽遊具。
【請求項３】
前記攪拌軸は前記水槽の略中央部に略鉛直方向に設けられ、前記攪拌手段は攪拌板であって二枚以上が該攪拌軸に周設されていることを特徴とする、請求項１または２に記載の流れ発生水槽遊具。
【請求項４】
前記ポンプは二以上設けられていることを特徴とする、請求項１ないし３のいずれかに記載の流れ発生水槽遊具。
【請求項５】
請求項１ないし４のいずれかに記載の流れ発生水槽遊具であって、次の（Ａ）または（Ｂ）の少なくともいずれかが備えられていることを特徴とする、流れ発生水槽遊具。
（Ａ）後記釣り竿遊具によって釣り上げることができる一または複数の魚の模型と、該魚の模型を釣り上げることのできる釣り竿遊具。
（Ｂ）一または複数の船舶遊具。
【発明の詳細な説明】
【技術分野】
【０００１】
本発明は流れ発生水槽遊具に係り、特に、内部に入れた液体に自由に流れを発生させることができ、それにより、浴槽内等における新規なる遊戯を提供することのできる流れ発生水槽遊具に関する。
【背景技術】
【０００２】
釣を模した遊具は、従来種々のものが提供されている。近年は、釣り上げ時の振動・揺動の感覚を模したものなど（特許文献）、実際の釣の感覚の提供をテーマとした提案もなされている。
【０００３】
【特許文献１】特開2003-053053 釣上玩具
【特許文献２】特開2000-042243 釣上げ遊技玩具
【発明の開示】
【発明が解決しようとする課題】
【０００４】
さて、釣を模した遊具は、上述のように従来から存在する。しかし、たとえば幼児その他低年齢層向けの浴槽での入浴中や、プールでの水遊び中にも容易に使用できるように、簡易に構成されたものは従来ない。
【０００５】
また、特に低年齢層の入浴に着目すれば、幼児らは入浴を嫌う場合もあり、このような場合に、釣を模した遊びに限らず浴槽中で夢中になれるような遊びをさせながら入浴に慣れさせ、さらにはまた、そのような遊具による入浴中の遊びを通して、親子が自然なコミュニケーションをとることができれば、子を持つ親には喜ばれる。
【０００６】
また、そのような遊具においては、簡易な構成によって動的な効果を得られるのであれば、なおよい。
【０００７】
本発明が解決しようとする課題は、上記従来技術の状況を踏まえ、入浴中やプールでの水遊び中であっても容易に用いて、釣等を模した遊びを楽しむことのできる、簡易な構成による遊具を提供することである。
【課題を解決するための手段】
【０００８】
本願発明者は上記課題について検討した結果、浴槽等に浮かべることのできる水槽中においてポンプと攪拌手段を用いて水流を起こすことのできる構成によって上記課題の解決できることを見出し、本発明に至った。そこで、そのような技術が従来提案されていないかどうか、下記条件により検索調査を行った。
【０００９】
使用データベース：特許電子図書館（ＩＰＤＬ）
使用検索メニュー：特許実用新案公報テキスト検索
検索条件：（ＦＩ＝A63H?）＊{要約＋請求の範囲＝槽＊流＊（釣＋つり＋船  ＋ボート）
対象公報：特許公開公報、特許公報、実用新案公開公報、実用新案公報
検索日：平成１６年１０月１日
【００１０】
その結果、下記の文献が検索された。
1.  特開2003-339180 インテリア、インテリア台、インテリアの演出方法、風呂用玩具、風呂用船玩具、浴槽用ジェット水流発生装置及び玩具  
2.  特開2000-140410 模型駆動装置およびゲ―ム装置  
3.  特開平07-328242 ゴム風船の模様付け方法およびその装置  
4.  特開平07-016358 船形玩具  
しかしこれらはいずれも、本願発明者が得た着想とはまったく相違するものであった。したがって、上記課題を解決するための手段として本願で特許請求される発明は、以下のとおりである。
【００１１】
（１）  水槽と、該水槽内に設けられており攪拌手段を備えた攪拌軸と、該攪拌手段に対して流体を吹き付けることができるように該水槽に備えられたポンプとからなる流れ発生水槽遊具であって、該ポンプの送出管から該攪拌手段に対してなされる流体の吹き付けによって該攪拌手段を回転させ、それにより該水槽内の液体に流れを発生させることができる、流れ発生水槽遊具。
（２）  前記ポンプは、前記水槽外の液体を該水槽内に送ることができるよう、吸入側の先端部を該水槽外に位置させることができるように該水槽に取着されていることを特徴とする、（１）に記載の流れ発生水槽遊具。
（３）  前記攪拌軸は前記水槽の略中央部に略鉛直方向に設けられ、前記攪拌手段は攪拌板であって二枚以上が該攪拌軸に周設されていることを特徴とする、（１）または（２）に記載の流れ発生水槽遊具。
（４）  前記ポンプは二以上設けられていることを特徴とする、（１）ないし（３）のいずれかに記載の流れ発生水槽遊具。
（５）  （１） ないし（４）のいずれかに記載の流れ発生水槽遊具であって、次の（Ａ ）または（Ｂ ）の少なくともいずれかが備えられていることを特徴とする、流れ発生水槽遊具。
（Ａ ）後記釣り竿遊具によって釣り上げることができる一または複数の魚の模型と、該魚の模型を釣り上げることのできる釣り竿遊具。
（Ｂ ）一または複数の船舶遊具。
【発明の効果】
【００１２】
本発明の流れ発生水槽遊具は上述のように構成されるため、これによれば、簡易な構成によって動的な効果を得つつ、入浴中やプールでの水遊び中であっても容易に用いて、釣等を模した遊びを楽しむことができる。また、特に低年齢層の入浴の際に用いれば、浴槽中で夢中になれるような遊びをさせながら入浴に慣れさせることができる。さらにまた、それを通しての親子等の自然なコミュニケーションを支援することができる。
【発明を実施するための最良の形態】
【００１３】
以下、本発明を図面により詳細に説明する。
図１は、本発明の流れ発生水槽遊具の構成を示す断面視の説明図である。図示するように本遊具１は、水槽７と、該水槽７内に設けられており攪拌手段３を備えた攪拌軸２と、該攪拌手段３に対して流体を送り、吹き付けることができるように該水槽７に備えられたポンプ４とからなることを、主たる構成とする。該水槽７のサイズ・容積・材質等は、浴槽や低年齢層向けの簡易プール等で、湛えた水の上に浮かべて用いるのに適した仕様を用いることができるが、本発明は特にそれに限定されるものではない。
【００１４】
かかる構成により本流れ発生水槽遊具１では、該ポンプ４を作動させると、その吸入側先端部６から水等の流体が吸入されて該水槽７中の該攪拌手段３に対して送出管５によって送られ、これに対して吹き付けられ、該攪拌手段３はそれによって該攪拌軸２周囲を回転する。この回転により、該水槽７内には流れが発生する。該水槽７内に水等の液体が入れられ、液面高さが該攪拌手段３の最下部よりも高くなっている場合は、該液体の流れが発生する。特に液面高さが該攪拌手段３の最上部よりも高い場合は、飛沫の発生なしにあるいはその発生量が少ない状態で、水流等の液体の流れが発生する。
【００１５】
かかる水槽７内に生じる流れは、釣りを模した遊戯などに動きを与える他、かかる流れの発生は、本遊具１使用者が該ポンプ４の操作によって自在に起こすことができ、しかも該ポンプ４の作動操作の頻度・速度・緩急などによって流れの強さ・速度・持続度合いなどを調節することができるため、本流れ発生水槽遊具１を用いることによって、追って詳述するような従来にない遊具を、簡易な構成によって得ることができる。
【００１６】
図において本流れ発生水槽遊具１では、前記ポンプ４を、吸入側の先端部６を該水槽７外に位置させることができるように該水槽７に取着するものとすることができる。ここで該ポンプ４の取着は、図示するように前記送出管５を該水槽７に接着させた状態として行うことができるが、本発明はそれに限定されるものではない。また該送出管５の長さは適宜に設計でき、該水槽７から相当離れた位置からポンプ４を操作できるように長くすることも可能である。また、該送出管５は図示するように該水槽７の上縁を跨ぐように設置することもできるが、本阿発明はそれに限定されず、たとえば側壁に貫設することもできる。
【００１７】
かかる構成により、該ポンプ４の吸入側先端部６を該水槽７の外に位置させることができ、該水槽７をたとえば浴槽や簡易プール等に浮かべて用いる場合に、該先端部６を浴槽等の水面下に位置させて該ポンプ４を作動させることにより、浴槽等の水を該水槽７内に送り込み、前記攪拌手段３に対して吹き付け、これを回転させて、浴槽等に浮かべた該水槽７内に流れを発生させることができる。
【００１８】
かかる構成によって該ポンプ４から該水槽７外の流体を入れることにより、該水槽７における液面高さは当然高くなり、該水槽７の浮力は徐々に小さくなるが、たとえば該水槽７の適宜の高さ位置に一または複数の排水口（図示せず）等を設けることにより、液面高さは該水槽７が浮力を充分に維持できるような所定高さを超えないように調整することができる。かかる排水口は、該水槽７の側壁に設けることも、あるいはまた前記攪拌軸２を底部の開放された中空に形成して、それに設けることもできる。
【００１９】
あるいはまた、本発明遊具の水槽を、浮力手段の備えられた枠体のみからなる、すなわち底面のない擬似水槽として構成してもよい。この場合、攪拌軸と攪拌手段は、図１に示すように水槽底部に設けられるのではなく、枠体（側面）から支持するように構成すればよい。
【００２０】
図において本流れ発生水槽遊具１では、前記攪拌軸２は前記水槽７の略中央部に略鉛直方向に設けられ、前記攪拌手段３は攪拌板であって二枚以上が該攪拌軸２に周設されている構成とすることができる。該攪拌手段３は、攪拌板であれ他の形状のものであれ、前記ポンプ４の送出管５から送り出される水等の流体を受けてその力によって前記攪拌軸２の周りを回転できるものであればよい。またそのように作動する限り、設置数は限定されない。
【００２１】
図２は、本発明の流れ発生水槽遊具の別の構成を示す断面視の説明図である。図示するように本遊具１１は、前述の構成に加え、前記ポンプ４が二以上設けられた構成をとることを特徴とする。かかる構成により、二人以上のものが本遊具１１において前記ポンプ４を操作することができる。これにより、たとえば釣りを模した遊戯では、二人の者が対抗してそれぞれが同時にポンプ４を作動させて前記水槽７内の液体に流れの発生を試み、相手の流れ発生の試みとによって生じる該水槽７内の流れの中で、液面上に浮かべた魚模型の釣り上げを、相手のつり上げを妨害し合いつつ競い合う、対戦型の釣りゲームとする、といった遊戯を実現することができる。
【００２２】
前記攪拌手段３が等間隔など適宜の間隔で二以上設けられることにより、二人以上のポンプ操作にかかる各吹き付け（送液）距離が短くなって、該攪拌手段３に到達しやすくなり、目的とする流れ発生の試みをより円滑に行うことができる。
【００２３】
図３は、釣りを模した遊具として構成される流れ発生水槽遊具に用いる附属物例を示す説明図である。図示するように本遊具では、釣り竿遊具８Ｂによって釣り上げることができる一または複数の魚の模型８Ａと、該魚の模型８Ａを釣り上げることのできる釣り竿遊具８Ｂを附属させることができる。これによって、水流を自由自在に発生させた中での釣りを模した遊戯を実現することができる。あるいはまた図２に示すような複数者による使用を可能とする構成では、相互に相手の釣り上げを妨害するような水流を生じさせつつ、自身には有利な水流を発生させたりしながら、より動的な釣り遊戯を実現することができる。
【００２４】
図示するように、釣り上げた魚の模型８Ａを貯めておくための魚籠８Ｃを設けること、その他関連した附属物は適宜備えることができる。また、魚の模型８Ａは、平面的に形成しても、立体的に形成してもよく、適宜の造形にて構成することができる。
【００２５】
図３で、魚の模型８Ａを釣り上げるための仕組みとしては、該魚の模型８Ａに磁性体部分を設け、一方該釣り竿遊具８Ｂの釣り上げ用先端部に磁石を設ける構成、該魚の模型８Ａにリングを設け、該釣り竿遊具８Ｂの先端部には鉤を設ける構成など、適宜の方法を用いることができる。
【００２６】
図４は、船舶の航行をさせる遊具として構成される流れ発生水槽遊具に用いる附属物例を示す説明図である。図示するように本遊具では、一または複数の船舶遊具９Ａ等を、附属させることができる。これにより、水流を発生させた中での船舶の航行を模した遊戯を実現することができる。また、対戦型でかかる遊戯を行えることは、上記釣りを模した遊戯と同様である。
【実施例】
【００２７】
図５は、本発明の流れ発生水槽遊具の構成例を示す写真図である。本例では、釣りを模した遊具を構成している。図示するように、極めて簡易な構造によって、従来にない浴槽等用遊具が得られる。
【産業上の利用可能性】
【００２８】
本発明の流れ発生水槽遊具は上述のように構成されるため、簡易な構成によって動的な効果を得つつ、入浴中やプールでの水遊び中であっても容易に用いて、釣等を模した遊びを楽しむことができる。また、特に低年齢層の入浴において、浴槽中で夢中になれるような遊びをさせながら入浴に慣れさせることができ、それを通しての親子等の自然なコミュニケーションを支援することができる。したがって、主として遊具・玩具産業上利用価値が高い発明である。
【図面の簡単な説明】
【００２９】
【図１】本発明の流れ発生水槽遊具の構成を示す断面視の説明図である。
【図２】本発明の流れ発生水槽遊具の別の構成を示す断面視の説明図である。
【図３】釣りを模した遊具として構成される流れ発生水槽遊具に用いる附属物例を示す説明図である。
【図４】船舶の航行をさせる遊具として構成される流れ発生水槽遊具に用いる附属物例を示す説明図である。
【図５】本発明の流れ発生水槽遊具の構成例を示す写真図である。
【符号の説明】
【００３０】
１、１１…流れ発生水槽遊具
２…攪拌軸
３…攪拌手段
４…ポンプ
５…送出管
６…吸入側先端部
７…水槽
８Ａ…魚の模型
８Ｂ…釣り竿遊具
８Ｃ…魚籠
９Ａ、９Ｂ…船舶遊具
【図１】
2006102069.tif 000003
【図２】
2006102069.tif 000004
【図３】
2006102069.tif 000005
【図４】
2006102069.tif 000006
【図５】
2006102069.tif 000007